(57)【要約】【課題】放射パネルによる冷暖房効果を維持しつつ消費エネルギーの低減を図ることができる空調システムを提供すること。【解決手段】空調システム１００は、寝床Ｂを有する被空調室Ｒの寝床Ｂの上方の天井９１に設けられた放射パネル１０であって、被空調室Ｒの放射冷暖房のために流体ＯＡ２によって冷却又は加熱される放射パネル１０を備え、放射パネル１０が、寝床Ｂの面積の２０％〜３００％の面積の大きさに構成されている。ゆえに、就寝時に、寝床Ｂ周辺においては放射パネル１０による冷暖房効果を維持しつつ、寝床Ｂ周辺以外の被空調室Ｒの冷暖房を実質的に行わないことにより消費エネルギーの低減を図ることができる。【選択図】図１
2008304096.tif 000002
【特許請求の範囲】
【請求項１】
寝床を有する被空調室の前記寝床の上方の天井に設けられた放射パネルであって、前記被空調室の放射冷暖房のために流体によって冷却又は加熱される放射パネルを備え；
前記放射パネルが、前記寝床の面積の２０％〜３００％の面積の大きさに構成された；
空調システム。
【請求項２】
外気を導入し、導入した外気を所定の温度に調節する外調機を備え；
前記流体が前記外調機で所定の温度に調節された外気であり；
前記放射パネルは、前記外調機で所定の温度に調節された外気を所定の風量で前記被空調室に導入する通気孔が形成されて構成された；
請求項１に記載の空調システム。
【請求項３】
前記被空調室内の室内空気を導入して該導入した室内空気の温度を調節し、温度が調節された室内空気を前記被空調室内に供給する空調用機器を備える；
請求項２に記載の空調システム。
【請求項４】
前記外調機で所定の温度に調節された外気を前記放射パネルに導く外気ダクトと；
前記空調用機器で温度が調節された室内空気を前記被空調室内に向けて流す室内空気ダクトと；
前記外気ダクトを流れる前記外気を、前記放射パネルを介さずに前記被空調室内に導くバイパスダクトであって、空気の流通を遮断可能なダンパが配設されたバイパスダクトとを備える；
請求項３に記載の空調システム。
【請求項５】
前記放射パネルの表面温度又は前記寝床周辺の放射温度を検出する温度検出器と；
前記通気孔を介して前記被空調室に導入される前記外気の風量を調節する外気量調節機構と；
前記温度検出器で検出された温度に基づいて、前記外気量調節機構を制御する制御装置とを備える；
請求項２乃至請求項４のいずれか１項に記載の空調システム。
【請求項６】
前記寝床周辺の二酸化炭素濃度を検出する二酸化炭素濃度検出器と；
前記通気孔を介して前記被空調室に導入される前記外気の風量を調節する外気量調節機構と；
前記二酸化炭素濃度検出器で検出された二酸化炭素濃度に基づいて、前記外気量調節機構を制御する制御装置とを備える；
請求項２乃至請求項４のいずれか１項に記載の空調システム。
【請求項７】
前記放射パネルの表面温度又は前記寝床周辺の放射温度を検出する温度検出器と；
前記温度検出器で検出された温度に基づいて、前記外気の温度を調節するように前記外調機を制御する制御装置とを備える；
請求項２乃至請求項４のいずれか１項に記載の空調システム。
【発明の詳細な説明】
【技術分野】
【０００１】
本発明は空調システムに関し、特に放射パネルによる冷暖房効果を維持しつつ消費エネルギーの低減を図る空調システムに関する。
【背景技術】
【０００２】
近年、省エネルギーと快適性とを両立する空調方式として、放射空調システムが注目されている。放射空調システムは、天井面や床面等に設置された放射パネルを冷やし（温め）、放射パネルからの放射熱により冷（暖）房を行うシステムである。放射空調システムでは、放射パネルによる冷暖房の効果を高めるために、天井面等の全面に放射パネルを敷設することが多い（例えば、特許文献１参照。）。
【特許文献１】特開２００６−２１４６９６号公報（図１等）
【発明の開示】
【発明が解決しようとする課題】
【０００３】
しかしながら、天井面等の全面に放射パネルを敷設すると、就寝時等の居住域が限定される場合であっても室内全体の冷暖房を行うこととなり、エネルギー消費量が嵩むこととなっていた。
【０００４】
本発明は上述の課題に鑑み、就寝時に、放射パネルによる冷暖房効果を維持しつつ消費エネルギーの低減を図ることができる空調システムを提供することを目的とする。
【課題を解決するための手段】
【０００５】
上記目的を達成するために、請求項１に記載の発明に係る空調システムは、例えば図１に示すように、寝床Ｂを有する被空調室Ｒの寝床Ｂの上方の天井９１に設けられた放射パネル１０であって、被空調室Ｒの放射冷暖房のために流体ＯＡ２によって冷却又は加熱される放射パネル１０を備え；放射パネル１０が、寝床Ｂの面積の２０％〜３００％の面積の大きさに構成されている。
【０００６】
このように構成すると、放射パネルが、寝床の上方の天井に設けられ、寝床の面積の２０％〜３００％の面積の大きさに構成されているので、就寝時に、寝床周辺においては放射パネルによる冷暖房効果を維持しつつ、寝床周辺以外の被空調室の冷暖房を実質的に行わないことにより消費エネルギーの低減を図ることができる。
【０００７】
また、請求項２に記載の発明に係る空調システムは、例えば図１に示すように、請求項１に記載の空調システム１００において、外気ＯＡ１を導入し、導入した外気ＯＡ１を所定の温度に調節する外調機２０を備え；流体が外調機２０で所定の温度に調節された外気ＯＡ２であり；放射パネル１０は、外調機２０で所定の温度に調節された外気ＯＡ２を所定の風量で被空調室Ｒに導入する通気孔１２（例えば図２参照）が形成されて構成されている。
【０００８】
このように構成すると、被空調室の換気と放射パネルの冷却加熱とを外気で兼ねることができ、冷暖房効率を向上させることができる。
【０００９】
また、請求項３に記載の発明に係る空調システムは、例えば図１に示すように、請求項２に記載の空調システム１００において、被空調室内Ｒの室内空気ＲＡ１を導入して導入した室内空気ＲＡ１の温度を調節し、温度が調節された室内空気ＲＡ２を被空調室Ｒ内に供給する空調用機器４０を備える。
【００１０】
このように構成すると、就寝時以外の熱負荷の高いときでも被空調室内の熱負荷処理を行うことができ、被空調室内全体を常に快適な状態にすることが可能となる。なお、就寝時は一般に日射や照明の点灯等がなく被空調室内の熱負荷が低くなるため、空調用機器の運転を停止しても放射パネルからの熱（冷熱を含む）放射により冷暖房を行うことが可能となる。
【００１１】
また、請求項４に記載の発明に係る空調システムは、例えば図１に示すように、請求項３に記載の空調システム１００において、外調機２０で所定の温度に調節された外気ＯＡ２を放射パネル１０に導く外気ダクト３３と；空調用機器４０で温度が調節された室内空気ＲＡ２を被空調室Ｒ内に向けて流す室内空気ダクト３６と；外気ダクト３３を流れる外気ＯＡ２を、放射パネル１０を介さずに被空調室Ｒ内に導くバイパスダクト３４であって、空気の流通を遮断可能なダンパ５４が配設されたバイパスダクト３４とを備える。
【００１２】
このように構成すると、外調機で温度が調節される外気の流量を一定にしたまま放射パネル温度を調節することが可能となり、被空調室内の冷暖房効果を調節することが可能となる。
【００１３】
また、請求項５に記載の発明に係る空調システムは、例えば図１に示すように、請求項２乃至請求項４のいずれか１項に記載の空調システム１００において、放射パネル１０の表面温度又は寝床Ｂ周辺の放射温度を検出する温度検出器６１と；通気孔１２（例えば図２参照）を介して被空調室Ｒに導入される外気ＯＡ２の風量を調節する外気量調節機構５４と；温度検出器６１で検出された温度に基づいて、外気量調節機構５４を制御する制御装置６０とを備える。
【００１４】
このように構成すると、温度検出器で検出された温度に基づいて外気量調節機構を制御するので、放射パネルの温度を最適な温度に調節することが可能となる。
【００１５】
また、請求項６に記載の発明に係る空調システムは、請求項２乃至請求項４のいずれか１項に記載の空調システムにおいて、前記寝床周辺の二酸化炭素濃度を検出する二酸化炭素濃度検出器と；前記通気孔を介して前記被空調室に導入される前記外気の風量を調節する外気量調節機構と；前記二酸化炭素濃度検出器で検出された二酸化炭素濃度に基づいて、前記外気量調節機構を制御する制御装置とを備える。
【００１６】
このように構成すると、二酸化炭素濃度検出器で検出された二酸化炭素濃度に基づいて外気量調節機構を制御するので、必要換気量を確保しつつ放射パネルの温度を最適な温度に調節することが可能となる。
【００１７】
また、請求項７に記載の発明に係る空調システムは、例えば図１に示すように、請求項２乃至請求項４のいずれか１項に記載の空調システム１００において、放射パネル１０の表面温度又は寝床Ｂ周辺の放射温度を検出する温度検出器６１と；温度検出器６１で検出された温度に基づいて、外気ＯＡ１の温度を調節するように外調機２０を制御する制御装置６０とを備える。
【００１８】
このように構成すると、温度検出器で検出された温度に基づいて外気の温度を調節するように外調機を制御するので、放射パネルの温度を最適な温度に調節することが可能となる。
【発明の効果】
【００１９】
本発明によれば、放射パネルが、寝床の上方の天井に設けられ、寝床の面積の２０％〜３００％の面積の大きさに構成されているので、就寝時に、放射パネルによる冷暖房効果を維持しつつ消費エネルギーの低減を図ることができる。
【発明を実施するための最良の形態】
【００２０】
以下、図面を参照して本発明の実施の形態について説明する。なお、各図において互いに同一又は相当する部材には同一あるいは類似の符号を付し、重複した説明は省略する。
【００２１】
まず図１を参照して、本発明の実施の形態に係る空調システム１００の構成について説明する。図１は、空調システム１００の模式的系統図である。空調システム１００は、放射パネル１０と、外調機２０と、空調用機器としてのファンコイルユニット（以下「ＦＣＵ」という。）４０と、制御装置６０とを備えている。なお、本実施の形態では、被空調室Ｒはホテルの客室であるとして説明し、寝床Ｂはベッドであるとして説明する。
【００２２】
放射パネル１０は、温度が調節された外気としての調温外気ＯＡ２により、冷房時は冷やされ、暖房時は温められて、客室Ｒ内の人に対して電磁波である熱線（冷房時は冷熱線、暖房時は温熱線）を放射して冷暖房を行うための部材である。ここで「放射する」というのは、温熱のみならず冷熱についてもこのように表現することとする。すなわち、厳密にいえば、放射パネルから冷熱が放射されるのではなく、例えば人間などから放射された熱が、温度の低い放射パネルに吸収されるために納涼感が生ずるのであるが、本明細書においては便宜上、冷熱についても「放射する」と表現することとする。
【００２３】
ここで図２を参照して、放射パネル１０の構成の詳細を説明する。図２は放射パネル１０の斜視図である。放射パネル１０は、熱線を放射する放射面１１と、調温外気ＯＡ２を導入するボックス１３とを有している。ボックス１３の外観は六面体であるが、六面体の１つの面（図２中では下面）が開口となっている。この開口に放射面１１が取り付けられて放射パネル１０となっている。ボックス１３（５つの面）は、導入した調温外気ＯＡ２の保温及び防露の観点から断熱性を有する材料で形成されていることが好ましく、さらに現場における作業性の観点から軽量の材料で形成されていることが好ましい。このような材料として、グラスウール、ロックウール、押出法ポリスチレンフォームのボード等を用いるとよい。なお、保温性が重要でない場合は金属や木材などでボックス１３を製作してもよい。ボックス１３を構成する５つの面のうちの１つの面には、調温外気ＯＡ２を導入する外気ダクト３３（図１参照）を接続する接続口１３ａが形成されている。
【００２４】
放射面１１は、典型的には長方形状あるいは正方形状に形成されており、ベッドＢの面積の２０％〜３００％の面積となる大きさに形成されている。ここで「面積」は、鉛直方向の投影線をもつ投影面の面積（いわば、平面図に現れる面積）をいうこととする。放射面１１の材質は、典型的には金属（アルミニウムやステンレス等）が用いられるが、無機質の天井材を用いてもよい。また、放射面１１には複数の通気孔１２が形成されている。放射面１１に形成された複数の通気孔１２は、典型的には円形の小孔である。放射面１１に形成された通気孔１２の大きさは、典型的には直径が０．５ｍｍ〜１０ｍｍであるが、例えば放射面１１の面積を確保する観点から上限を８ｍｍあるいは６ｍｍとしてもよく、例えばドラフト抑制のために吹き出し風速を小さくする観点から下限を２ｍｍあるいは５ｍｍとしてもよい。例えば通気孔１２の大きさを１ｍｍとすると、放射面１１の面積を十分確保できると共に、天井面の装飾（通気孔から天井裏が見えないようにする）の観点からも好ましい。通気孔１２の大きさはこの例示に限られず、調温外気ＯＡ２の風量や通気孔１２の数等も含めて総合的に勘案して決定するとよい。放射面１１に形成された通気孔１２の数は、その大きさに対して、典型的には通気孔１２を通して通過させる調温外気ＯＡ２の風量（所定の風量）と風速（典型的には在室者がドラフトを感じない風速）によって決定される。複数の通気孔１２のそれぞれからできるだけ均一な風量を客室Ｒに向かって吹き出させるため、ボックス１３内に調温外気ＯＡ２を均等に分散させるためのバッフル板やディストリビュータ（例えば接続口１３ａからボックス１３内に延びた、複数の小孔が形成された有孔管）を設けることが好ましい。
【００２５】
通気孔１２を介して客室Ｒに供給される調温外気ＯＡ２の風量は、典型的には、客室Ｒ内の在室人員に対する必要外気量から決定され、さらに客室Ｒ内を所定の清浄度に保つために風量を増加してもよい。客室Ｒ内の在室人員として、客室Ｒの定員を採用してもよい。風速は、典型的には０．０５〜０．３５ｍ／ｓであるが、客室Ｒに在室する者がドラフトを感じないという観点から０．２０ｍ／ｓ以下とするとよい。なお、放射面１１の形状は、長方形や正方形以外の、三角形、多角形、あるいは円形であってもよい。放射面１１の形状は、客室Ｒの形状や照明等他の器具類との取り合い（天伏）を考慮して、適宜納まりのよい形状を選択するとよい。
【００２６】
再び図１に戻って空調システム１００の説明を続ける。放射パネル１０は、ベッドＢの上方に位置する客室Ｒの天井９１に、放射面１１が天井９１に現れるように設けられている。このとき、放射面１１の重心の鉛直下方がベッドＢ上の枕の位置あるいはベッドＢの重心位置となるように放射パネル１０を設置するのが好ましいが、仮に放射パネル１０がベッドＢの真上に位置していなくても、ベッドＢ上の人に放射による冷暖房効果を与えることができる位置に放射パネル１０が設けられていればよい。また、放射パネル１０は、放射面１１の大きさが、ベッドＢの面積の２０％〜３００％の面積となるように設けられている。放射面１１の大きさが、ベッドＢの面積の２０％〜３００％の面積となる大きさなので、天井９１の全面に放射パネルが敷設される場合に比べ、放射パネルの占める面積が小さくなる。
【００２７】
外調機２０は、導入した外気としての導入外気ＯＡ１の温度及び湿度を調節して、調節した調温外気ＯＡ２を圧送する機器である。外調機２０は、導入外気ＯＡ１の塵埃を捕捉するフィルタ２２と、導入外気ＯＡ１を所定の温度に冷却又は加熱するコイル２３と、導入外気ＯＡ１に加湿水（又は加湿蒸気）を散布するスプレーノズル２４と、スプレーノズル２４から散布された加湿水のキャリーオーバーを防ぐエリミネータ２５と、温度及び湿度が調節された調温外気ＯＡ２を放射パネル１０に向けて圧送するファン２６とを有しており、これらは導入外気ＯＡ１の流れ方向に対してこの順番で配列されて筐体に収容されている。ここで「所定の温度」は、調温外気ＯＡ２が通気孔１２を通って客室Ｒに供給されたときに、放射冷暖房のための冷温熱を放射できる温度に放射面１１（図２参照）を冷却又は加熱できる温度である。外調機２０は、典型的には１台で十数〜数十室の客室Ｒを受け持つ（すなわち、客室Ｒ十数〜数十室に対し１台の外調機２０が設置される）が、客室Ｒと外調機２０とが１対１で対応していてもよい。コイル２３には、冷温水発生器（不図示）で生成された冷水又は温水が供給されるように構成されている。
【００２８】
ＦＣＵ４０は、導入した室内空気としてのレタン空気ＲＡ１の温度を調節して、温度が調節された室内空気としての調温空気ＲＡ２を圧送する機器である。ＦＣＵ４０は、レタン空気ＲＡ１を吸い込んで圧送するファン４６と、レタン空気ＲＡ１を冷却又は加熱するコイル４３と、空気中の塵埃を捕捉するフィルタ４２とを有しており、これらはレタン空気ＲＡ１の流れ方向に対してこの順番で配列されている。ＦＣＵ４０は、典型的には１つの客室Ｒに対して１つ設置されている。コイル４３には、冷温水発生器（不図示）で生成された冷水又は温水が供給されるように構成されている。また、本実施の形態では、ＦＣＵ４０は客室Ｒ内の下がり天井内に配設されている。
【００２９】
外調機２０が設置されている部屋（機械室）の外壁には、導入外気ＯＡ１を導入するガラリ３１が設けられている。ガラリ３１には外気導入ダクト３２の一端が接続されており、外気導入ダクト３２の他端は外調機２０のフィルタ２２の上流側の筐体に接続されている。外調機２０のファン２６より下流の筐体には外気ダクト３３の一端が接続されており、外気ダクト３３の他端は放射パネル１０の接続口１３ａ（図２参照）に接続されている。客室Ｒの下がり天井にはレタン空気ＲＡ１を吸い込む吸込口３８が設けられている。吸込口３８には吸い込みダクト３５の一端が接続されており、吸い込みダクト３５の他端はＦＣＵ４０のファン４６の上流に接続されている。ＦＣＵ４０のフィルタ４２より下流には吐出ダクト３６の一端が接続されており、吐出ダクト３６の他端は下がり天井に取り付けられている吹出口３９に接続されている。また、吹出口３９には、外気ダクト３３から分岐したバイパスダクト３４が接続されている。バイパスダクト３４は、調温外気ＯＡ２の一部又は全部を、放射パネル１０を介さずに（すなわち放射パネル１０をバイパスして）客室Ｒに導くダクトである。バイパスダクト３４には、空気の流れを遮断可能なダンパ５４が挿入配置されている。ダンパ５４は典型的にはモータダンパであり、制御装置６０からの信号を受信して開閉動作が行われるように構成されている。
【００３０】
放射パネル１０の放射面１１には、放射面１１の表面温度を検出する温度検出器としての表面温度センサ６１が設けられている。表面温度センサ６１は、制御装置６０と信号ケーブルで接続されており、検出した温度を信号として制御装置６０に送信することができるように構成されている。また、客室Ｒの壁面には、客室Ｒ内の温度を検出する壁面温度センサ６８が設けられている。壁面温度センサ６８は、制御装置６０と信号ケーブルで接続されており、検出した温度を信号として制御装置６０に送信することができるように構成されている。
【００３１】
制御装置６０は、空調システム１００を制御する。制御装置６０は、外調機２０と信号ケーブルで接続されており、外調機２０に信号を送信してコイル２３に流れる水量、スプレーノズル２４からの散水の有無、ファン２６の回転速度を調節させることができるように構成されている。また、制御装置６０は、ＦＣＵ４０と信号ケーブルで接続されており、ＦＣＵ４０に信号を送信してコイル４３に流れる水量、ファン４６の回転速度を調節させることができるように構成されている。また、制御装置６０はダンパ５４に信号を送信してダンパ５４を開閉させることができるように構成されている。また、制御装置６０は、表面温度センサ６１及び壁面温度センサ６８のそれぞれから温度信号を受信して、受信した温度信号に基づいて外調機２０、ＦＣＵ４０、ダンパ５４を制御することができるように構成されている。
【００３２】
引き続き図１及び図２を参照して、空調システム１００の作用を説明する。なお、本実施の形態に係る空調システム１００は冷房と暖房のいずれも行うことができるが、以下の作用の説明では冷房の場合を例にして説明する。また、以下の作用の説明では理解の容易のために具体的な温度条件を例示するが、空調システム１００は例示の温度以外の温度で動作する場合もあることはいうまでもない。日中の熱負荷が大きいとき、制御装置６０は外調機２０及びＦＣＵ４０を運転させる。ダンパ５４は閉とし、外気ダクト３３と吹出口３９との間に空気の流通がないようにする。ＦＣＵ４０のコイル４３へは冷温水発生器（不図示）から約７℃の冷水が供給される。ＦＣＵ４０は、客室Ｒからレタン空気ＲＡ１を導入し、コイル４３で冷水とレタン空気ＲＡ１との熱交換を行わせて約１６℃となった調温空気ＲＡ２を客室Ｒへ吹き出す。コイル４３においてレタン空気ＲＡ１と熱交換して約１２℃に温度が上昇した冷水は、冷温水発生器（不図示）に還される。
【００３３】
外調機２０のコイル２３へは冷温水発生器（不図示）から約７℃の冷水が供給される。外調機２０は、ガラリ３１を介して外気ＯＡ１を導入し、コイル２３で冷水と外気ＯＡ１との熱交換を行わせて約２０℃となった調温外気ＯＡ２を放射パネル１０に向けて圧送する。コイル２３において導入外気ＯＡ１と熱交換して約１２℃に温度が上昇した冷水は、冷温水発生器（不図示）に還される。放射パネル１０に到達した調温外気ＯＡ２は、放射面１１の通気孔１２を通って客室Ｒに吹き出される。日中の熱負荷が大きいときは、ＦＣＵ４０で温度が調節された調温空気ＲＡ２と外調機２０で温度が調節された調温外気ＯＡ２とが客室Ｒに供給されることにより客室Ｒの空調が行われる。
【００３４】
客室Ｒの空調が行われている最中、壁面温度センサ６８は随時客室Ｒ内の温度を検出し、温度信号を制御装置６０に送信している。制御装置６０は、受信した温度信号に基づいて、客室Ｒ内が設定温度（本実施の形態では２６℃）となるように、ＦＣＵ４０のコイル４３に供給される冷水量やファン４６の回転速度を調節するフィードバック制御を行う。また、制御装置６０は、必要に応じて外調機２０のコイル２３に供給される冷水量やファン２６の回転速度を調節する。このような制御により、客室Ｒ内は快適な温度環境に保たれる。
【００３５】
他方、客室Ｒ内の人が就寝するときは、ＦＣＵ４０を停止する。ＦＣＵ４０の停止は、典型的には人がリモコン等のコントローラ（不図示）を介してＦＣＵ４０に停止指令を送ることにより行われるが、天井や壁等の適切な場所に人感センサを設けておいてベッドＢ上に人を検知したときに、あるいはベッドＢに重量センサを設置しておいてベッドＢ上に人を検知したときに（又は人を検知してから所定時間経過した後に）、自動的にＦＣＵ４０を停止するようにしてもよい。ＦＣＵ４０は停止させられるが外調機２０は運転している。
【００３６】
外調機２０は、日中時の運転と同様、ガラリ３１を介して導入外気ＯＡ１を導入する。外調機２０に導入された導入外気ＯＡ１は、コイル２３で約７℃の冷水と熱交換が行われて約１５〜２４℃となり、さらに湿度も調節された調温外気ＯＡ２となる。調温外気ＯＡ２は、客室Ｒ内の在室人員に対して必要となる風量（所定の風量）が外気ダクト３３を通って放射パネル１０のボックス１３内に至る。その後調温外気ＯＡ２は放射面１１の通気孔１２を通って所定の風量が客室Ｒ内に吹き出される。客室Ｒ内の在室人員に対して必要となる風量の調温外気ＯＡ２が客室Ｒに供給されるので、必要換気量が確保される。また、通気孔１２から客室Ｒ内に吹き出される調温外気ＯＡ２の風速はおよそ０．２ｍ／ｓ以下としているので、ベッドＢ上の就寝者はドラフトによる不快感を感じない。
【００３７】
調温外気ＯＡ２が通気孔１２を通って客室Ｒに吹き出される際、放射面１１は調温外気ＯＡ２によって冷却され、約２０〜２４℃（ただし、通気孔１２を通過する調温外気ＯＡ２の温度以下の温度）になる。すると、冷却された放射面１１からの冷放射効果がベッドＢ上の人に作用する（人体から放射される赤外線が冷却された放射面１１に吸収される）。一般に就寝時は日射や照明による熱負荷がほとんどなく処理すべき熱負荷が小さいことと相俟って、放射面１１からの冷放射効果により、ＦＣＵ４０を運転しなくてもベッドＢ周辺の快適性を維持することができる。放射面１１が天井９１の全面に設けられているのではなくベッドＢの面積の２０％〜３００％の面積の大きさに形成されていることから調温外気ＯＡ２で冷却する放射面１１が小さく、さらにＦＣＵ４０の運転を停止することにより、放射パネル１０による冷房効果を維持しつつ消費エネルギーの低減を図ることができる。
【００３８】
放射パネル１０を中心とした冷房が行われている最中、表面温度センサ６１は随時放射面１１の温度を検出し、温度信号を制御装置６０に送信している。制御装置６０は、受信した温度信号に基づいて、放射面１１が設定温度（本実施の形態では約２１〜２２℃）となるようにダンパ５４の開度を調節する信号をダンパ５４に送信する。つまり、放射面１１の温度が低くなりすぎる場合はダンパ５４を開いて調温外気ＯＡ２の一部又は全部を吹出口３９から客室Ｒに供給するようにし、通気孔１２を通過する調温外気ＯＡ２の流量を減らすことで放射面１１の温度を設定温度に調節する。このときダンパ５４は外気量調節機構として機能している。
【００３９】
なお図３に示す空調システム１００Ａのように、外気ダクト３３に外気量調節機構としてのＶＡＶ（Ｖａｒｉａｂｌｅ  Ａｉｒ  Ｖｏｌｕｍｅ）ユニット５３を設け、表面温度センサ６１からの温度信号に基づいてＶＡＶユニット５３の開度を変更することにより放射面１１が設定温度になるようにしてもよい。このとき、空調システム１００（図１参照）が有していたバイパスダクト３４及びダンパ５４を省いてもよい。また、ＶＡＶユニット５３の代わりにモータダンパを設けてもよい。
【００４０】
以上の説明では放射面１１に形成された通気孔１２に調温外気ＯＡ２を通すことにより放射面１１を冷却することとしたが、外気以外の空気（例えば室内空気）を温度調節して通気孔１２を通すことにより放射面１１を冷却することとしてもよい。この場合、換気に必要な外気（温度が調節されているか否かは問わない）は別途客室Ｒに導入するとよい。また、空気ではなく冷水（又は温水）が流れるパイプを放射面１１に接触させることにより放射面１１を冷却（又は加熱）することとしてもよい。しかしながら、客室Ｒ内に人がいるときは常に供給される外気を温度調節したうえで通気孔１２に通すことにより放射面１１を冷却（加熱）することと、客室Ｒの換気と放射パネル１０の冷却（加熱）とを兼ねることができ好ましい。
【００４１】
以上の説明では、外調機２０で導入外気ＯＡ１の調湿も行うこととしたが、調湿は行わなくてもよい。外調機２０で調湿を行わない場合であっても、快適性の維持及び放射面１１の結露防止の観点から、客室Ｒ内の湿度調節を行うことが好ましい。
【００４２】
以上の説明では、表面温度センサ６１で検出した温度に基づいて放射面１１の表面温度を制御することとしたが、表面温度センサ６１に代えてベッドＢ付近（例えば図１、３中の壁面温度センサ６８が設けられている位置）に放射温度計を設け、放射温度計で検出した放射温度に基づいて放射面１１の表面温度を制御することとしてもよい。つまり、放射温度計で検出した温度が低くなりすぎる場合は外気量調節機構（ＶＡＶ５３、ダンパ５４等）を調節して通気孔１２を通過する調温外気ＯＡ２の流量を減らすことで放射面１１の温度を設定温度に調節することとしてもよい。また、客室Ｒ内（好ましくはベッドＢ付近）に二酸化炭素濃度検出器を設け、検出値に応じて外気量調節機構（ＶＡＶ５３、ダンパ５４等）を調節して客室Ｒに導入する外気量を制御（例えば、検出した二酸化炭素濃度が高ければ導入外気量を増やし、低ければ導入外気量を減らすように制御）してもよい。また、表面温度センサ６１又は放射温度センサにおける検出結果に基づいて客室Ｒ内に導入する外気量を調節することに代えて、表面温度センサ６１又は放射温度センサにおける検出結果に基づいて客室Ｒ内に導入する外気の温度を調節することとしてもよい。外気の温度の調節は、典型的には外調機２０のコイル２３に供給される冷水量を調節することにより行われる。外気温度の調節は、１つの客室Ｒに対し１台の外調機２０が設置されている場合に特に容易に行うことができる。
【００４３】
以上では、客室Ｒの冷房を行う場合で説明したが、暖房を行うこともできる。暖房を行う場合、コイル２３、４３へは温水が供給される。暖房の場合、放射面１１から温熱放射が行われることによりドラフトを感じることなく快適性が維持される。暖房の場合であっても、放射面１１がベッドＢの面積の２０％〜３００％の面積の大きさに形成されていることから調温外気ＯＡ２で加熱する放射面１１が小さくて済み、放射パネル１０による暖房効果を維持しつつ消費エネルギーの低減を図ることができる。
【００４４】
以上の説明では、コイル２３、４３に冷水又は温水を供給する冷温水発生器（不図示）を備えることとしたが、冷温水発生器に代えて冷凍機とボイラを備えてもよい。また、コイル２３、４３に水（冷水又は温水）を供給することとしたが、水以外の化学物質からなる冷媒を供給するように構成してもよい（例えば、コイル２３、４３をいわゆるパッケージ型空調機の一部材として構成する。）。すなわち、外調機２０及び／又はＦＣＵ４０（空調用機器）をパッケージ型空調機の室内機とし（このときコイル２３、４３を直膨コイルとしてもよい）、冷温水発生器等に代えてパッケージ型空調機の室外機を設けるように構成してもよい。つまり、放射パネル１０を冷却又は加熱できる熱源機器を備えているとよい。
【００４５】
以上の説明では、被空調室がホテルの客室であるとしたが、一般家庭等の寝床がある部屋であってもよいことはいうまでもない。また、寝床がベッドＢであるとしたが、布団であってもよい。旅館はもとより家庭であっても布団はほぼ決まった場所に敷かれることが多いので、そのほぼ決まった場所の上方（寝床を設けるべき領域と平面図上で重なる位置）の天井に放射パネル１０を設置することにより、人が存在する位置に特化して放射冷暖房の効果を作用させることができる。
【図面の簡単な説明】
【００４６】
【図１】本発明の実施の形態に係る空調システムの模式的系統図である。
【図２】放射パネルの斜視図である。
【図３】本発明の実施の形態の変形例に係る空調システムの模式的系統図である。
【符号の説明】
【００４７】
１０  放射パネル
１２  通気孔
２０  外調機
３３  外気ダクト
３６  室内空気ダクト
４０  ＦＣＵ
５４  ダンパ
３４  バイパスダクト
６０  制御装置
６１  表面温度センサ
９１  天井
１００  空調システム
Ｂ  ベッド
Ｒ  客室
ＯＡ１  外気（温度調節前）
ＯＡ２  外気（温度調節後）
ＲＡ１  室内空気（温度調節前）
ＲＡ２  室内空気（温度調節後）
【図１】
2008304096.tif 000003
【図２】
2008304096.tif 000004
【図３】
2008304096.tif 000005